(57)【要約】本発明によれば、視聴者がホームショッピングチャンネルを選択した時刻、およびホームショッピングチャンネルから離脱する時刻を基に抽出された関心商品分類グループを用いて、特定視聴者に適合したホームショッピングコンテンツを動的に選択して提供することができる。特に本発明によって、定義された返送率を基に産出された関心指数を用いて、関心商品分類グループを抽出することができるため、より個人向けされたホームショッピングコンテンツを視聴者に提供することができる。
2021508194.tif 000002
【特許請求の範囲】
【請求項１】
一つ以上のプロセッサと、一つ以上のメモリと、前記一つ以上のメモリに保存され、前記一つ以上のプロセッサにより実行されるよう構成される一つ以上のプログラムとを有し、
前記一つ以上のプログラムは、
ホームショッピングチャンネルに対する視聴履歴を生成して予め指定された放送システムへ伝送する第１インストラクションと、
前記ホームショッピングチャンネルを選択するユーザ入力を受信する第２インストラクションと、
関心商品分類グループを用いて、前記放送システムにより提供可能な第１個人向けコンテンツ〜第ｍ個人向けコンテンツ（但し、ｍは１以上の自然数）および基本コンテンツの中から選択されるコンテンツを信号処理して提供する第３インストラクション（但し、前記関心商品分類グループは第１商品分類〜第ｋ商品分類（但し、ｋは２以上の自然数）を有する商品分類基準の中から前記視聴履歴を基に抽出されたものである）と、
を有する個人向けホームショッピング提供装置。
【請求項２】
前記視聴履歴は、
前記ホームショッピングチャンネルが提供され始めた時刻と、
前記ホームショッピングチャンネルの提供が終了した時刻、および前記ホームショッピングチャンネルの提供が終了した時刻と前記ホームショッピングチャンネルが提供され始めた時刻との差値のいずれか一つを有する請求項１に記載の個人向けホームショッピング提供装置。
【請求項３】
前記基本コンテンツおよび前記第１個人向けコンテンツ〜前記第ｍ個人向けコンテンツは、前記放送システムから放送ネットワーク、または通信ネットワークを通じて、リアルタイム、または準リアルタイムで伝送される請求項１に記載の個人向けホームショッピング提供装置。
【請求項４】
前記コンテンツは、前記放送システムから放送ネットワーク、または通信ネットワークを通じて、ブロードキャスト方式、マルチキャスト方式、ユニキャスト方式およびＶＯＤ方式のいずれか一つを用いて伝送される請求項１に記載の個人向けホームショッピング提供装置。
【請求項５】
前記一つ以上のプログラムは、前記第１個人向けコンテンツ〜前記第ｍ個人向けコンテンツおよび前記基本コンテンツの中から前記関心商品分類グループを基に前記コンテンツを動的に選択して、前記コンテンツを前記放送システムから受信する第４インストラクション
をさらに有する請求項１に記載の個人向けホームショッピング提供装置。
【請求項６】
前記一つ以上のプログラムは、前記第１個人向けコンテンツ〜前記第ｍ個人向けコンテンツおよび前記基本コンテンツの中から前記放送システムが前記関心商品分類グループを基に選択した前記コンテンツを受信する第５インストラクション
をさらに有する請求項１に記載の個人向けホームショッピング提供装置。
【請求項７】
前記一つ以上のプログラムは、前記第１個人向けコンテンツ〜前記第ｍ個人向けコンテンツおよび前記基本コンテンツの中から前記関心商品分類グループを基に前記コンテンツを動的に選択して、前記コンテンツを伝送せよという要請を前記放送システムへ伝送して、前記放送システムから前記コンテンツを受信する第６インストラクション
をさらに有する請求項１に記載の個人向けホームショッピング提供装置。
【請求項８】
前記一つ以上のプログラムは、前記放送システムから前記関心商品分類グループを受信して保存する第７インストラクション
をさらに有する請求項１に記載の個人向けホームショッピング提供装置。
【請求項９】
前記関心商品分類グループは、
前記視聴履歴を分析し、予め指定された期間中、前記第１商品分類に属する商品が前記ホームショッピングチャンネルが選択された時点から、前記ホームショッピングチャンネルを通じて第１閾値以上提供された第１基準回数、乃至前記第ｋ商品分類に属する商品が前記ホームショッピングチャンネルが選択された時点から、前記ホームショッピングチャンネルを通じて前記第１閾値以上提供された第ｋ基準回数を決定し、前記予め指定された期間中、前記第１商品分類に属する商品が前記ホームショッピングチャンネルが選択された時点から、前記ホームショッピングチャンネルを通じて前記第１閾値以上で第２閾値以下の時間の間提供された第１返送回数、乃至前記第ｋ商品分類に属する商品が前記ホームショッピングチャンネルが選択された時点から、前記ホームショッピングチャンネルを通じて前記第１閾値以上で前記第２閾値以下の時間の間提供された第ｋ返送回数を各々決定する第１処理と、
前記第１返送回数対前記第１基準回数の割合である前記第１商品分類に対する第１返送率、乃至前記第ｋ返送回数対前記第ｋ基準回数の割合である前記第ｋ商品分類に対する第ｋ返送率を各々決定する第２処理と、
前記視聴履歴を分析し、前記予め指定された期間中、前記ホームショッピングチャンネルを通じて前記第１商品分類に属する商品が提供された第１平均視聴時間、乃至前記予め指定された期間中、前記ホームショッピングチャンネルを通じて前記第ｋ商品分類に属する商品が提供された第ｋ平均視聴時間を各々算出する第３処理と、
前記第１平均時間および前記第１返送率を基に抽出された前記第１商品分類に対する関心指数、乃至前記第ｋ返送率を基に抽出された前記第ｋ商品分類に対する関心指数を予め指定された閾値と比較して、前記第１商品分類〜前記第ｋ商品分類の中から前記閾値以上の関心指数を持つ商品分類を前記関心商品分類グループに指定する第４処理と、
を前記放送システムが行うことにより抽出される請求項８に記載の個人向けホームショッピング提供装置。
【請求項１０】
前記一つ以上のプログラムは、ホームショッピングチャンネルに対する編成情報と前記視聴履歴を基に前記関心商品分類グループを抽出する第８インストラクション
をさらに有する請求項１に記載の個人向けホームショッピング提供装置。
【請求項１１】
前記第８インストラクションは、
前記ホームショッピングチャンネルに対する編成情報と前記視聴履歴を分析し、予め指定された期間中、前記第１商品分類に属する商品が前記ホームショッピングチャンネルが選択された時点から、前記ホームショッピングチャンネルを通じて第１閾値以上提供された第１基準回数、乃至前記第ｋ商品分類に属する商品が前記ホームショッピングチャンネルが選択された時点から、前記ホームショッピングチャンネルを通じて前記第１閾値以上提供された第ｋ基準回数を決定し、前記予め指定された期間中、前記第１商品分類に属する商品が前記ホームショッピングチャンネルが選択された時点から、前記ホームショッピングチャンネルを通じて前記第１閾値以上で第２閾値以下の時間の間提供された第１返送回数、乃至前記第ｋ商品分類に属する商品が前記ホームショッピングチャンネルが選択された時点から、前記ホームショッピングチャンネルを通じて前記第１閾値以上で前記第２閾値以下の時間の間提供された第ｋ回数を各々決定する第１サブインストラクションと、
前記第１返送回数対前記第１基準回数の割合である前記第１商品分類に対する第１返送率、乃至前記第ｋ返送回数対前記第ｋ基準回数の割合である前記第ｋ商品分類に対する第ｋ返送率を各々決定する第２サブインストラクションと、
前記視聴履歴を分析し、前記予め指定された期間中、前記ホームショッピングチャンネルを通じて前記第１商品分類に属する商品が提供された第１平均視聴時間、乃至前記予め指定された期間中、前記ホームショッピングチャンネルを通じて前記第ｋ商品分類に属する商品が提供された第ｋ平均視聴時間を各々算出する第３サブインストラクションと、
前記第１平均時間および前記第１返送率を基に抽出された前記第１商品分類に対する関心指数、乃至前記第ｋ返送率を基に抽出された前記第ｋ商品分類に対する関心指数を予め指定された閾値と比較して、前記第１商品分類〜前記第ｋ商品分類の中から前記閾値以上の関心指数を持つ商品分類を前記関心商品分類グループに指定する第４サブインストラクションと、
を有する請求項１０に記載の個人向けホームショッピング提供装置。
【請求項１２】
第ｊ商品分類（但し、ｊは１以上ｋ以下の自然数）に対する関心指数は、
第１加重値と正規化された第ｊ平均視聴時間を乗じた値から、第２加重値と正規化された第ｊ返送率を乗じた値を減算したものである請求項１１に記載の個人向けホームショッピング提供装置。
【請求項１３】
前記第１加重値と前記第２加重値は正数であり、前記第１加重値と前記第２加重値の合計は１である請求項１２に記載の個人向けホームショッピング提供装置。
【請求項１４】
前記関心商品分類グループは、前記第１商品分類〜前記第ｋ商品分類のうち一つ以上を含む請求項１に記載の個人向けホームショッピング提供装置。
【請求項１５】
前記コンテンツは、前記第１個人向けコンテンツ〜前記第ｍ個人向けコンテンツのいずれか一つであり、
前記一つ以上のプログラムは、
前記第３インストラクションを行う前、または前記第３インストラクションを行う途中に、前記基本コンテンツを提供するためのユーザインタフェースを表示する第９インストラクション
をさらに有する請求項１に記載の個人向けホームショッピング提供装置。
【発明の詳細な説明】
【技術分野】
【０００１】
本発明は、個人向けホームショッピング提供装置に関する。
【背景技術】
【０００２】
通信技術およびコンピューティング技術の発展に伴い、放送サービスも早期に発展している。一方、放送サービスの効率性を評価する目的として、放送サービスの視聴率が測定される。例えば、放送サービス提供者は、放送サービスを視聴する視聴者の放送サービス満足度などの品質を把握するための基準として視聴率を使用することができ、広告主は放送サービスに広告を出す場合、広告効果を判断するための基準として視聴率を使用することができる。
【０００３】
視聴率は、例えば、地域、年齢、性別および学歴別に等しく分布された標本集団を選定した後、標本集団に提供された放送サービスに対する視聴形態情報を収集することによって測定される。
【０００４】
しかし、従来の視聴率を測定する方式は、標本集団に対して測定されるため、実際の視聴率とは差異がある。また、視聴率を測定するために複雑な方式を用いるため、標本集団に対する視聴率さえ正確に測定することができない短所もある。
【０００５】
これを改善するために、例えば、韓国電子通信研究所にて２０１２年８月１７日付で出願、２０１７年６月２２日付で登録された「視聴形態認識基盤の視聴率および広告効果分析方法およびシステム」という名称の韓国登録特許第１０−１７５１７０８号（特許文献１）は、視聴者を撮影した映像の入力を受けて、これを基に視聴者認識情報を生成した後、これを基に視聴形態情報を生成することによって、より正確に標本集団の視聴率を測定する構成を開示している。
【０００６】
しかし、登録特許第１０−１７５１７０８号に開示されている方式もまた、視聴率を測定するためには、予め視聴者を登録するなどの複雑な方式をそのまま用いている。
【０００７】
一方、返送率は、一般的にウェブサイトの接続者がウェブサイトに接続したものの、サイト内で他のページに接続したり、情報を得ずにそのまま離脱したりする割合を指す。より具体的には、返送率は、例えばウェブサイトが開始ページ、および開始ページにリンクされる下位階層ページを備えている場合、接続者が開始ページに接続したものの、下位階層ページへ接続せずに離脱する割合を指す。返送率が高いということは、接続者がウェブサイトに接続しても、製品を購入するような行動につながる可能性が低いことを意味し、返送率が低いということは接続者が製品を購入するような行動につながる可能性が高いことを意味する。従って、返送率は、特にインターネットのウェブサイトを評価するための基準として使用され得る。
【０００８】
しかし、返送率は、特にウェブページなどのインターネットサービスにおいて適用される基準として、放送サービスにおいては適用されないという短所がある。即ち、放送サービスはウェブページとは異なり、コンテンツが連続的に提供される方法を採っているため開始ページが存在せず、同様に下位階層ページも存在しない。従って、放送サービスにおいては、インターネットサービスに適用される返送率をそのまま適用することができない。
【０００９】
一方、一般的にホームショッピングは、様々な商品またはサービスを購入するために、放送ネットワークまたは通信ネットワークを通じて提供するサービスを指す。ホームショッピングは、例えば放送ネットワークを用いる場合、ホームショッピング事業者が予め指定されたチャンネルを通じて視聴者の受信機へ商品に対するホームショッピングコンテンツを伝送し、視聴者がホームショッピングコンテンツを視聴して当該商品を購入する方式を用いて具現される。
【００１０】
ホームショッピングに用いられる放送方式は、デジタル放送またはアナログ放送であり、受信機は例えばホームショッピングコンテンツを受信して提供するテレビ、セットトップボックス、パーソナルコンピュータおよびコンピューティング機能を備えた移動通信端末（即ち、スマートフォン）などの装置を有することができる。
【００１１】
視聴者は、例えば受信機に表示される決済インターフェースまたは電話注文などの方式を用いて、ホームショッピングコンテンツを通じて放送される商品を購入することができる。
【００１２】
しかし、従来のホームショッピングは、下記のような短所がある。
【００１３】
ホームショッピング事業者は、放送編成表に従って、ホームショッピングコンテンツを多数の視聴者に一括的に伝送している。即ち、既存のホームショッピングコンテンツは、ブロードキャスト形態で、全ての視聴者を対象に提供される。従って、特定グループの視聴者および特定視聴者などの限定された対象のためのホームショッピングコンテンツを提供することは不可能であるという短所がある。
【００１４】
また、放送編成表に従って、予め指定されたホームショッピングコンテンツが一括で多数の視聴者に伝送されるため、視聴者は所望の商品を購入するために、当該商品を販売するホームショッピングコンテンツが放送されるまで、待たなければならないという問題点がある。
【００１５】
一方、（株）ＣＪＯショッピングが２０１２年７月５日付で出願し、２０１４年１月１６日付で公開された「オンライン−ホームショッピング連動販売システムおよびサーバ」という名称の韓国公開特許第１０−２０１４−０００６３８３号（特許文献２）は、ホームショッピングとオンラインショッピングとの連動を通じて、視聴者に適合した商品をホームショッピングチャンネルを通じて販売する方法を開示している。しかし、韓国公開特許第１０−２０１４−０００６３８３号に開示されている方法もまた、オンラインサーバから受信した販売商品の情報を基に、ホームショッピングチャンネルを通じて販売する商品を選定することしか開示されていない。従って、韓国公開特許第１０−２０１４−０００６３８３号に開示されている方法は、たとえより多くの視聴者に適合した商品を選択して放送することができるという効果があるとしても、上述した従来技術の問題点をそのまま有している。
【先行技術文献】
【特許文献】
【００１６】
【特許文献１】韓国登録特許第１０−１７５１７０８号
【特許文献２】韓国公開特許第１０−２０１４−０００６３８３号
【発明の概要】
【発明が解決しようとする課題】
【００１７】
本発明の目的は、視聴者がホームショッピングチャンネルを選択した時刻およびホームショッピングチャンネルから離脱する時刻を基に抽出された関心商品分類グループを用いて、特定視聴者に適合したホームショッピングコンテンツを動的に選択して提供可能な個人向けホームショッピング提供装置を提供することにある。
【課題を解決するための手段】
【００１８】
前記技術的課題を達成するために、本発明は、一つ以上のプロセッサと、一つ以上のメモリと、前記一つ以上のメモリに保存され、前記一つ以上のプロセッサにより実行されるよう構成される一つ以上のプログラムとを有し、前記一つ以上のプログラムは、ホームショッピングチャンネルに対する視聴履歴を生成して予め指定された放送システムへ伝送する第１インストラクションと、前記ホームショッピングチャンネルを選択するユーザ入力を受信する第２インストラクションと、関心商品分類グループを用いて、前記放送システムにより提供可能な第１個人向けコンテンツ〜第ｍ個人向けコンテンツ（但し、ｍは１以上の自然数）および基本コンテンツの中から選択されるコンテンツを信号処理して提供する第３インストラクション（但し、前記関心商品分類グループは第１商品分類〜第ｋ商品分類（但し、ｋは２以上の自然数）を有する商品分類基準の中から前記視聴履歴を基に抽出されたものである）とを有する個人向けホームショッピング提供装置を提供する。
【発明の効果】
【００１９】
本発明によれば、視聴者がホームショッピングチャンネルを選択した時刻およびホームショッピングチャンネルから離脱する時刻を基に抽出された関心商品分類グループを用いて、特定視聴者に適合したホームショッピングコンテンツを動的に選択して提供することができる。特に、本発明によって、定義された返送率を基に産出された関心指数を用いて、関心商品分類グループを抽出することができるため、より個人向けされたホームショッピングコンテンツを視聴者に提供することができる。
【図面の簡単な説明】
【００２０】
【図１】本発明に係る個人向けホームショッピング提供装置の例示的な構成を示すブロック図である。
【図２】本発明に係る個人向けホームショッピング提供装置が実行されるシステム環境を示す図面である。
【図３】本発明に係る個人向けホームショッピング提供装置が保存および実行を行うプログラムの例示的なブロック図である。
【図４】本発明に係る個人向けホームショッピング提供装置において、ホームショッピングチャンネルに対する視聴履歴を例示的に示す図面である。
【図５】本発明に係る個人向けホームショッピング提供装置において、商品分類基準を例示的に示す図面である。
【図６】本発明に係る個人向けホームショッピング提供装置において、関心商品分類グループを例示的に示す図面である。
【図７】本発明に係る個人向けホームショッピング提供装置において、個人向けコンテンツを受信して提供する過程を例示的に示す図面である。
【図８】本発明に係る個人向けホームショッピング提供装置において、個人向けコンテンツを受信して提供する過程を例示的に示す図面である。
【図９】本発明に係る個人向けホームショッピング提供装置において、個人向けコンテンツを受信して提供する過程を例示的に示す図面である。
【図１０】本発明に係る個人向けホームショッピング提供装置において、基本コンテンツを提供するためのユーザインタフェースを例示的に示す図面である。
【発明を実施するための形態】
【００２１】
以下、本発明に係る個人向けホームショッピング提供装置の実施例を、添付した図面を参照しながら、より具体的に説明する。一方、本発明の実施例を説明するための図面において、説明の便宜上、実際の構成のうち一部のみを図示したり、一部を省略して図示したり、変形して図示したり、または縮尺が異なるように図示することがある。
【００２２】
＜第一の実施例＞
図１は、本発明に係る個人向けホームショッピング提供装置の例示的な構成を示すブロック図である。
【００２３】
図１を参照すれば、本発明に係る個人向けホームショッピング提供装置１００は、一つ以上のプロセッサ１１０と、一つ以上のメモリ１３０と、一つ以上のメモリ１３０に保存され、一つ以上のプロセッサ１１０により実行されるよう構成される一つ以上のプログラム１５０とを有する。
【００２４】
一つ以上のプロセッサ１１０は、一つ以上のメモリ１３０に保存された一つ以上のプログラム１５０を読み取って実行する。一つ以上のプロセッサ１１０は、例えば、ｘ個（但し、ｘは自然数）として図示されているが、例えば１個でありまたは複数個でもある。即ち、一つのプロセッサを用いて個人向けホームショッピング提供装置１００の機能を実行することもでき、または複数個のプロセッサが連動して個人向けホームショッピング提供装置１００の機能を実行することもできる。例えば、第１プロセッサが演算機能を実行し、第２プロセッサが通信機能を実行する方式を用いて、個人向けホームショッピング提供装置１００の機能を実行することもできる。
【００２５】
一つ以上のメモリ１３０は、プログラム１５０を保存する。一つ以上のメモリ１３０は、例えば、記録および読み取り可能な非揮発性メモリ、または揮発性メモリなどの記録媒体である。一つ以上のメモリ１３０は、１個として図示されているが、複数個でもある。
【００２６】
一つ以上のプログラム１５０は、例えばｙ個（但し、ｙは自然数）として図示されているが、例えば１個であり、または複数個でもある。即ち、一つのプログラムを用いて個人向けホームショッピング提供装置１００の機能を実現することもでき、または複数個のプログラムが連動して個人向けホームショッピング提供装置１００の機能を実現することもできる。例えば、第１プログラムが演算機能を実現し、第２プログラムが通信機能を実現する方式で、個人向けホームショッピング提供装置１００の機能を実現することもできる。
【００２７】
以下、一つ以上のプロセッサ１１０、一つ以上のメモリ１３０および一つ以上のプログラム１５０は、各々「プロセッサ１１０」、「メモリ１３０」および「プログラム１５０」と称する。
【００２８】
図２は、本発明に係る個人向けホームショッピング提供装置が実行されるシステム環境を示す図面である。
【００２９】
図２を参照すれば、本発明に係る個人向けホームショッピング提供装置が実行されるシステム環境は、個人向けホームショッピング提供装置１００と、ホームショッピングチャンネルを運営する事業者の放送システム２００とを有する。個人向けホームショッピング提供装置が実行されるシステム環境は、ディスプレイ装置３００をさらに有することができる。
【００３０】
個人向けホームショッピング提供装置１００は、例えば、デジタル放送を受信して提供するセットトップボックス、テレビ、パーソナルコンピュータおよびコンピューティング機能を備えた移動通信端末のいずれか一つである。本願明細書における「デジタル放送」は、デジタル地上波放送、デジタルケーブル放送、デジタル衛星放送、ＤＭＢ放送、ＩＰ−ＴＶ、ＯＴＴ（Ｏｖｅｒ Ｔｈｅ Ｔｏｐ）およびＶＯＤ放送などの形態の放送サービスを指す。個人向けホームショッピング提供装置１００の詳細な構成については後述する。
【００３１】
放送システム２００は、放送ネットワークまたは通信ネットワークを通じてホームショッピングコンテンツを個人向けホームショッピング提供装置１００へ伝送する。放送システム２００は、一つ以上のホームショッピングコンテンツを個人向けホームショッピング提供装置１００へ提供することができる。特に、放送システム２００は、視聴者がホームショッピングチャンネルを選択した時刻およびホームショッピングチャンネルから離脱する時刻を基に指定された商品分類グループを用いて、ホームショッピングコンテンツ（個人向けホームショッピングコンテンツ）を個人向けホームショッピング提供装置１００へ提供することもできる
【００３２】
ディスプレイ装置３００は、個人向けホームショッピング提供装置１００による信号処理後に提供されるホームショッピングコンテンツを表示する。例えば、個人向けホームショッピング提供装置１００がデジタル放送を受信して提供するセットトップボックスである場合、ディスプレイ装置３００は個人向けホームショッピング提供装置１００とは別途に具現され得る。一方、例えば、個人向けホームショッピング提供装置１００がデジタル放送を受信して提供するテレビである場合、ディスプレイ装置３００は、テレビと一体型で、即ちテレビの画面の形態で具現され得る。
【００３３】
図３は、本発明に係る個人向けホームショッピング提供装置が保存および実行を行うプログラムの例示的なブロック図である。
【００３４】
図３を参照すれば、プログラム１５０は、第１インストラクション１５０−１〜第３インストラクション１５０−３を有する。プログラム１５０は、第４インストラクション１５０−４〜第９インストラクション１５０−９のうち少なくとも一つをさらに有することができる。また、第８インストラクション１５０−８は、第１サブインストラクション１５０−８−１〜第４インストラクション１５０−８−４を有することができる。
【００３５】
第１インストラクション１５０−１は、ホームショッピングチャンネルに対する視聴履歴を生成して予め指定された放送システムへ伝送する。
【００３６】
ホームショッピングチャンネルに対する視聴履歴は、ホームショッピングチャンネルが提供され始めた時刻（即ち、視聴者がホームショッピングチャンネルを選択した時刻）と、ホームショッピングチャンネルの提供が終了した時刻（即ち、視聴者がホームショッピングチャンネルから離脱する時刻）およびホームショッピングチャンネルの提供が終了した時刻とホームショッピングチャンネルが提供され始めた時刻との差値（即ち、持続時間）のいずれか一つを有することができる。
【００３７】
図４は、本発明に係る個人向けホームショッピング提供装置において、ホームショッピングチャンネルに対する視聴履歴を例示的に示す図面である。
【００３８】
例えば、ホームショッピングチャンネルがチャンネル５３番である場合、第１インストラクション１５０−１は、例えばホームショッピングチャンネルが提供され始めた時刻およびホームショッピングチャンネルの提供が終了した時刻を含む視聴履歴を生成する。ホームショッピングチャンネルが提供され始めた時刻は、例えば、視聴者がリモコンを通じてチャンネル５３番を選択する場合の時刻である。ホームショッピングチャンネルの提供が終了した時刻は、例えば、視聴者がチャンネル５３番を視聴していてリモコンを通じて他のチャンネルを選択するかまたは個人向けホームショッピング提供装置１００の電源を終了するボタンを入力した時刻である。
【００３９】
図４は、ホームショッピングチャンネルに対する視聴履歴が、ホームショッピングチャンネルが提供され始めた時刻およびホームショッピングチャンネルの提供が終了した時刻を含む場合を基に図示されているが、ホームショッピングチャンネルに対する視聴履歴は、ホームショッピングチャンネルの提供が終了した時刻の代わりに、上述した持続時間を有することもできる。
【００４０】
第２インストラクション１５０−２は、ホームショッピングチャンネルを選択するユーザ入力を受信する。即ち、第１インストラクション１５０−２が実行された後に、個人向けホームショッピング提供装置１００の視聴者は、例えばセットトップボックスまたはテレビのリモコンを通じてホームショッピングチャンネルを選択することができる。
【００４１】
第３インストラクション１５０−３は、関心商品分類グループを用いて、放送システム２００により提供可能な第１個人向けコンテンツ〜第ｍ個人向けコンテンツ（但し、ｍは１以上の自然数）および基本コンテンツの中から選択されるコンテンツを信号処理して提供する。個人向けホームショッピング提供装置１００は、第３インストラクション１５０−３を通じてコンテンツを信号処理して提供することができる。
【００４２】
関心商品分類グループは、第１商品分類〜第ｋ商品分類（但し、ｋは２以上の自然数）を有する商品分類基準の中から、上述の視聴履歴を基に抽出され得る。
【００４３】
図５は、本発明に係る個人向けホームショッピング提供装置において、商品分類基準を例示的に示す図面である。
【００４４】
図５を参照すれば、商品分類基準は階層的に設定され、例えば、「生活／キッチン」〜「食品／健康」と表示された第１階層と、第１階層に従属的な第２階層、例えば「生活／キッチン」階層に対する「インテリア」〜「寝具」と表示された第２階層と、第２階層に従属的な第３階層、例えば「寝具」階層に対する「ふとん」〜「マットレス」と表示された第３階層で構成され得る。
【００４５】
第１商品分類〜第ｋ商品分類は、例えば第１階層に係る商品分類である。しかし、第１商品分類〜第ｋ商品分類は、例えば第２階層に係る商品分類でもあり、第３階層に係る商品分類でもある。即ち、商品分類基準の商品分類の個数ｋ個は、第１階層に係る商品分類の個数でもあり、第２階層に係る商品分類の個数でもあり、第３階層に係る商品分類の個数でもある。どの階層を使用するかは、放送システム２００、例えばホームショッピングチャンネルに対する事業者により維持される放送システム２００の管理者によって適宜決定され得る。
【００４６】
関心商品分類グループについて、より詳細に説明すると、下記のとおりになる。
【００４７】
関心商品分類グループは、個人向けホームショッピング提供装置１００の視聴者が関心を持つと予想される商品分類を含む。
【００４８】
図６は、本発明に係る個人向けホームショッピング提供装置において、関心商品分類グループを例示的に示す図面である。
【００４９】
図６を参照すれば、関心商品分類グループは、例えば「インテリア」、「果物」および「飲み物」の３個の商品分類を含むことができる。即ち、関心商品分類グループは、第１商品分類〜第ｋ商品分類のうち一つ以上の商品分類を含むことができる。関心商品分類グループを抽出する詳細な構成は後述する。
【００５０】
第１個人向けコンテンツ〜第ｍ個人向けコンテンツおよび基本コンテンツは、放送システム２００から放送ネットワークまたは通信ネットワークを通じて個人向けホームショッピング提供装置１００へ、リアルタイムまたは準リアルタイムで伝送され得る。
【００５１】
コンテンツは、第１個人向けコンテンツ〜第ｍ個人向けコンテンツおよび基本コンテンツのいずれか一つであり、コンテンツを伝送して受信する方式は、例えば下記のとおりである。
【００５２】
まず、コンテンツが放送システム２００から個人向けホームショッピング提供装置１００へ、ブロードキャスティング方式で伝送される場合である。即ち、コンテンツは、放送システム２００のホームショッピングチャンネルを用いて、放送システム２００に加入された全ての受信機に伝送され得る。
【００５３】
例えばｍが２である場合、ホームショッピングチャンネルに対して基本コンテンツ、第１個人向けコンテンツおよび第２個人向けコンテンツ全てが個人向けホームショッピング提供装置１００に伝送される。
【００５４】
次に、コンテンツが放送システム２００から個人向けホームショッピング提供装置１００へ、マルチキャスト方式またはユニキャスト方式で伝送される場合である。例えば、コンテンツは、放送システム２００のホームショッピングチャンネルを用いて、放送システム２００に加入された受信機のうち特定グループに属する受信機、または特定受信機にのみ伝送され得る。例えばｍが２である場合、ホームショッピングチャンネルに対して基本コンテンツ、第１個人向けコンテンツおよび第２個人向けコンテンツの中から選択されたコンテンツのみ、個人向けホームショッピング提供装置１００に伝送される。
【００５５】
コンテンツは、放送システム２００のホームショッピングチャンネルを用いて、放送システム２００に加入された受信機のうち特定グループに属する受信機、または特定受信機にのみ伝送され得る。例えばｍが２である場合、ホームショッピングチャンネルに対して基本コンテンツ、第１個人向けコンテンツおよび第２個人向けコンテンツの中から選択されたコンテンツのみが個人向けホームショッピング提供装置１００に伝送される。
【００５６】
次に、コンテンツが放送システム２００から個人向けホームショッピング提供装置１００へＶＯＤ方式で伝送される場合である。例えば、コンテンツは、個人向けホームショッピング提供装置１００がコンテンツを伝送する要請を放送システム２００へ伝送した場合、放送システム２００はコンテンツを個人向けホームショッピング提供装置１００に伝送される。
【００５７】
以下、第３インストラクション１５０−３を通じて提供されるコンテンツを選択する構成について、より詳細に説明する。
【００５８】
上述したとおり、プログラム１５０は、第４インストラクション１５０−４をさらに有することができる。
【００５９】
第４インストラクション１５０−４は、第１個人向けコンテンツ〜第ｍ個人向けコンテンツおよび基本コンテンツの中から関心商品分類グループを基にコンテンツを動的に選択して、選択されたコンテンツを放送システム２００から受信する。
【００６０】
即ち、個人向けホームショッピング提供装置１００は、第４インストラクション１５０−４を通じて第１個人向けコンテンツ〜第ｍ個人向けコンテンツおよび基本コンテンツの中からコンテンツを選択して、選択されたコンテンツを放送システム２００から受信する。コンテンツは、例えば、上述したとおり、放送システム２００からブロードキャスト方式、マルチキャスト方式、または、ユニキャスト方式で伝送され得る。
【００６１】
第４インストラクション１５０−４を通じて選択されて受信されたコンテンツは、以後、第３インストラクション１５０−３を通じて信号処理されて視聴者に提供される。
【００６２】
図７は、本発明に係る個人向けホームショッピング提供装置において、個人向けコンテンツを受信して提供する過程を例示的に示す図面である。
【００６３】
図７を参照すれば、例えばｍが３である場合、放送システム２００は、例えば基本コンテンツ、第１個人向けコンテンツ、第２個人向けコンテンツおよび第３個人向けコンテンツを個人向けホームショッピング提供装置１００へ伝送する。個人向けホームショッピング提供装置１００は、第４インストラクション１５０−４を通じて、例えば第１個人向けコンテンツを選択し、第３インストラクション１５０−３を通じて信号処理して視聴者に提供する。
【００６４】
上述したとおり、プログラム１５０は、第５インストラクション１５０−５をさらに有することができる。
【００６５】
第５インストラクション１５０−５は、放送システム２００が関心商品分類グループを基に選択したコンテンツを受信する。
【００６６】
即ち、第４インストラクション１５０−４とは異なって、コンテンツは、放送システム２００により選択され、個人向けホームショッピング提供装置１００は放送システム２００により選択されたコンテンツを第５インストラクション１５０−５を通じて受信するものである。コンテンツは、例えば、放送システム２００からブロードキャスト方式、マルチキャスト方式、または、ユニキャスト方式で伝送され得る。
【００６７】
図８は、本発明に係る個人向けホームショッピング提供装置において、個人向けコンテンツを受信して提供する過程を例示的に示す図面である。
【００６８】
図８を参照すれば、例えばｍが３である場合、放送システム２００は、例えば基本コンテンツ、第１個人向けコンテンツ、第２個人向けコンテンツおよび第３個人向けコンテンツの中から関心商品分類グループを基に選択したコンテンツ、例えば第３個人向けコンテンツのみを個人向けホームショッピング提供装置１００へ伝送し、個人向けホームショッピング提供装置１００は放送システム２００により選択されたコンテンツ、例えば第３個人向けコンテンツを第５インストラクション１５０−５を通じて受信する。個人向けホームショッピング提供装置１００は、以後、第３インストラクション１５０−３を通じて第３個人向けコンテンツを信号処理し、視聴者に提供する。
【００６９】
上述したとおり、プログラム１５０は、第６インストラクション１５０−６をさらに有することができる。
【００７０】
第６インストラクション１５０−６は、第１個人向けコンテンツ〜第ｍ個人向けコンテンツおよび基本コンテンツの中から関心商品分類グループを基にコンテンツを動的に選択し、選択されたコンテンツを伝送せよという要請を放送システム２００へ伝送して、放送システム２００からコンテンツを受信する。即ち、個人向けホームショッピング提供装置１００は、第４インストラクション１５０−４を通じて第１個人向けコンテンツ〜第ｍ個人向けコンテンツおよび基本コンテンツの中からコンテンツを選択する。しかし、第４インストラクション１５０−４の場合とは異なって、個人向けホームショッピング提供装置１００は、選択されたコンテンツを伝送せよという要請を放送システム２００へ伝送して、放送システム２００からコンテンツを受信する。即ち、コンテンツは、例えばＶＯＤ方式で放送システム２００から受信される。
【００７１】
図９は、本発明に係る個人向けホームショッピング提供装置において、個人向けコンテンツを受信して提供する過程を例示的に示す図面である。
【００７２】
図９を参照すれば、例えばｍが３である場合、個人向けホームショッピング提供装置１００は、第６インストラクション１５０−６を通じて第１個人向けコンテンツ〜第ｍ個人向けコンテンツおよび基本コンテンツの中から、関心商品分類グループを基に、例えば第３個人向けコンテンツを選択する。以後、個人向けホームショッピング提供装置１００は、第６インストラクション１５０−６を通じて選択されたコンテンツ、即ち、第３個人向けコンテンツを伝送せよという要請を放送システム２００へ伝送して、放送システム２００から第３個人向けコンテンツを受信する。個人向けホームショッピング提供装置１００は、以後、第３インストラクション１５０−３を通じて第３個人向けコンテンツを信号処理して視聴者に提供する。
【００７３】
上述したとおり、第４インストラクション１５０−４および第６インストラクション１５０−６は、コンテンツを選択するために関心商品分類グループを用いる。このために、上述したとおり、プログラム１５０は、第７インストラクション１５０−７をさらに有することができる。
【００７４】
第７インストラクション１５０−７は、放送システム２００から関心商品分類グループを受信して保存する。例えば、個人向けホームショッピング提供装置１００は、第７インストラクション１５０−７を通じて周期的に放送システム２００から関心商品分類グループを受信して保存することもできる。
【００７５】
関心商品分類グループは、望ましくは、放送システム２００によって抽出され得る。
【００７６】
放送システム２００は、例えば下記のような第１処理〜第４処理を行うことにより、関心商品分類グループを抽出することができる。
【００７７】
第１処理は、ホームショッピングチャンネルに対する編成情報と、個人向けホームショッピング提供装置１００から受信されたホームショッピングチャンネルに対する視聴履歴を分析し、予め指定された期間中、第１商品分類に属する商品がホームショッピングチャンネルが選択された時点から、ホームショッピングチャンネルを通じて第１閾値以上提供された第１基準回数、乃至、第ｋ商品分類に属する商品がホームショッピングチャンネルが選択された時点から、ホームショッピングチャンネルを通じて第１閾値以上提供された第ｋ基準回数を決定し、予め指定された期間中、第１商品分類に属する商品がホームショッピングチャンネルが選択された時点から、ホームショッピングチャンネルを通じて第１閾値以上で第２閾値以下の時間の間提供された第１返送回数乃至第ｋ商品分類に属する商品が、ホームショッピングチャンネルが選択された時点から、ホームショッピングチャンネルを通じて第１閾値以上で第２閾値以下の時間の間提供された第ｋ返送回数を各々決定する。
【００７８】
予め指定された期間は、例えば一日、一週間および一ヶ月などの期間に設定され得る。
【００７９】
第１閾値は、個人向けホームショッピング提供装置１００がホームショッピングチャンネルを選択するユーザ入力を受信した後、信号処理して提供するまでの遅延時間を考慮して決定される値である。例えば、個人向けホームショッピング提供装置１００がホームショッピングチャンネル、例えばチャンネル５３番を選択するユーザ入力を受信した後、チャンネル５３番を信号処理して提供するまで所定の時間が所要され得る。また、視聴者がホームショッピングチャンネルを選択するために、チャンネル番号ではなくチャンネルアップボタンを押すことによってチャンネルを変更することもできる。第１閾値はこのような時間を考慮して決定される。例えば、第１閾値は３秒である。
【００８０】
第２閾値は、視聴者がホームショッピングチャンネルを選択した後、その内容を確認して継続して視聴するか、または他のチャンネルを視聴するかを決定するまでの所要時間を意味する。即ち、第２閾値は、チャンネルザッピング（ｚａｐｐｉｎｇ）を排除しつつ、視聴者がホームショッピングチャンネルを継続して視聴するかを選択するまで所要される時間を意味する。第２閾値は、例えば３０秒である。
【００８１】
ホームショッピングチャンネルに対する編成情報を用いれば、視聴履歴に含まれるホームショッピングチャンネルが提供され始めた時刻に、どのような商品が提供されていたかを確認することができる。
【００８２】
第１基準回数〜第ｋ基準回数および第１返送回数〜第ｋ返送回数は、個人向けホームショッピング提供装置１００にて視聴者がホームショッピングチャンネルを選択した時点に当該商品が放送されている場合を基準として決定され得る。即ち、視聴者がチャンネル転換なしでホームショッピングチャンネルを継続して視聴している場合、またはホームショッピングチャンネルが選択された時点で商品ではなく広告が提供される場合は、第１基準回数〜第ｋ基準回数および第１返送回数〜第ｋ返送回数を決定することから除外することが望ましい。
【００８３】
第２処理は、第１返送回数対第１基準回数の割合である第１商品分類に対する第１返送率乃至第ｋ返送回数対第ｋ基準回数の割合である第ｋ商品分類に対する第ｋ返送率を各々決定する。
【００８４】
第１返送率は、個人向けホームショッピング提供装置１００の視聴者が第１商品分類に属する商品に対する関心度を類推するために使用される。即ち、第１返送率が低ければ、個人向けホームショッピング提供装置１００の視聴者は、第１商品分類に属する商品に対しては関心度が高いことを意味することになる。逆に第１返送率が高ければ、個人向けホームショッピング提供装置１００の視聴者は、第１商品分類に属する商品に対しては関心度が低いことを意味することになる。第ｋ返送率も同様に使用され得る。
【００８５】
第３処理は、視聴履歴を分析し、上述の予め指定された期間中、ホームショッピングチャンネルを通じて第１商品分類に属する商品が提供された第１平均視聴時間、乃至上述の予め指定された期間中、ホームショッピングチャンネルを通じて第ｋ商品分類に属する商品が提供された第ｋ平均視聴時間を各々算出する。
【００８６】
第４処理は、第１平均時間および第１返送率を基に抽出された第１商品分類に対する関心指数、乃至第ｋ返送率を基に抽出された第ｋ商品分類に対する関心指数を予め指定された閾値と比較して、第１商品分類〜第ｋ商品分類のうち閾値以上の関心指数を持つ商品分類を関心商品分類グループに指定する。
【００８７】
第１商品分類〜第ｋ商品分類のうち第ｊ商品分類（但し、ｊは１以上ｋ以下の自然数）に対する関心指数は、例えば第１加重値と正規化された第ｊ平均視聴時間を乗じた値から、第２加重値と正規化された第ｊ返送率を乗じた値を減算した値に決定され得る。
【００８８】
正規化された第ｊ平均視聴時間は、例えば１〜１００の間の値を有することができ、正規化された第ｊ返送率は、例えば１〜１００の間の値を有することができる。
【００８９】
第１加重値および第２加重値は正数であり、第１加重値と第２加重値との合計は１である。第１加重値が０．８、第２加重値が０．２、閾値が５０、正規化された第ｊ平均視聴時間が８０、正規化された返送率が６０であれば、第１加重値と正規化された第ｊ平均視聴時間とを乗じた値から、第２加重値と正規化された第ｊ返送率とを乗じた値を減算した値は５２となり閾値より高い。この場合、第ｊ商品分類は、個人向けホームショッピング提供装置１００に対する関心商品分類グループに含まれる。
【００９０】
上述の第１処理〜第４処理を、ｊを適宜変更して行うことにより、個人向けホームショッピング提供装置１００に対する関心商品分類グループを抽出することができる。
【００９１】
放送システム２００は、抽出された関心商品分類グループを個人向けホームショッピング提供装置１００へ伝送する。個人向けホームショッピング提供装置１００は、関心商品分類グループを保存して、例えば第４インストラクション１５０−４および第６インストラクション１５０−６を通じてコンテンツを選択するために関心商品分類グループを用いることができる。
【００９２】
＜第二の実施例＞
第一の実施例は、例えば個人向けホームショッピング提供装置１００が、第７インストラクション１５０−７を通じて放送システム２００から関心商品分類グループを受信して保存する構成を例に挙げて説明したが、個人向けホームショッピング提供装置１００が関心商品分類グループを抽出することもできる。
【００９３】
このため、上述したとおり、プログラム１５０は、第８インストラクション１５０−８をさらに有することができる。
【００９４】
第８インストラクション１５０−８は、ホームショッピングチャンネルに対する編成情報と視聴履歴とを基に関心商品分類グループを抽出する。
【００９５】
上述したとおり、第８インストラクション１５０−８は、第１サブインストラクション１５０−８−１〜第４インストラクション１５０−８−４を有することができる。
【００９６】
第１サブインストラクション１５０−８−１は、ホームショッピングチャンネルに対する編成情報と第１インストラクション１５０−１を通じて生成されたホームショッピングチャンネルに対する視聴履歴とを分析し、予め指定された期間中、第１商品分類に属する商品がホームショッピングチャンネルが選択された時点から、ホームショッピングチャンネルを通じて第１閾値以上提供された第１基準回数乃至第ｋ商品分類に属する商品が、ホームショッピングチャンネルが選択された時点から、ホームショッピングチャンネルを通じて第１閾値以上提供された第ｋ基準回数を決定し、予め指定された期間中、第１商品分類に属する商品がホームショッピングチャンネルが選択された時点から、ホームショッピングチャンネルを通じて第１閾値以上で第２閾値以下の時間の間提供された第１返送回数、乃至第ｋ商品分類に属する商品がホームショッピングチャンネルが選択された時点から、ホームショッピングチャンネルを通じて第１閾値以上で第２閾値以下の時間の間提供された第ｋ返送回数を各々決定する。
【００９７】
第１サブインストラクション１５０−８−１に対する詳細な説明は、上述の第１処理を参照することができるため、省略する。
【００９８】
第２サブインストラクション１５０−８−２は、第１返送回数対第１基準回数の割合である第１商品分類に対する第１返送率、乃至、第ｋ返送回数対第ｋ基準回数の割合である第ｋ商品分類に対する第ｋ返送率を各々決定する。
【００９９】
第２サブインストラクション１５０−８−２に対する詳細な説明は、上述の第２処理を参照することができるため、省略する。
【０１００】
第３サブインストラクション１５０−８−３は、視聴履歴を分析し、上述の予め指定された期間中、ホームショッピングチャンネルを通じて第１商品分類に属する商品が提供された第１平均視聴時間、乃至、上述の予め指定された期間中、ホームショッピングチャンネルを通じて第ｋ商品分類に属する商品が提供された第ｋ平均視聴時間を各々算出する。
【０１０１】
第３サブインストラクション１５０−８−３に対する詳細な説明は、上述の第３処理を参照することができるため、省略する。
【０１０２】
第４インストラクション１５０−８−４は、第１平均時間および第１返送率を基に抽出された第１商品分類に対する関心指数乃至第ｋ返送率を基に抽出された第ｋ商品分類に対する関心指数を、予め指定された閾値と比較して、第１商品分類乃至第ｋ商品分類のうち閾値以上の関心指数を持つ商品分類を関心商品分類グループに指定する。
【０１０３】
第４インストラクション１５０−８−４に対する詳細な説明は、上述の第４処理を参照することができるため、省略する。
【０１０４】
＜第三の実施例＞
第一の実施例および第二の実施例によれば、第１個人向けコンテンツ〜前記第ｍ個人向けコンテンツおよび基本コンテンツのいずれか一つが提供される。個人向けホームショッピング提供装置１００を通じて第１個人向けコンテンツ〜第ｍ個人向けコンテンツのいずれか一つが提供される場合にも、個人向けホームショッピング提供装置１００の視聴者は基本コンテンツの視聴を所望することができる。個人向けホームショッピング提供装置１００を通じて第１個人向けコンテンツ〜第ｍ個人向けコンテンツのいずれか一つが提供される場合でも、第３の実施例によれば、基本コンテンツを提供することができる。
【０１０５】
上述したとおり、プログラム１５０は、第９インストラクション１５０−９をさらに有することができる。
【０１０６】
第９インストラクション１５０−９は、第３インストラクション１５０−３を行う前、または第３インストラクション１５２−３を行う途中に、基本コンテンツを提供するためのユーザインタフェースを表示する。
【０１０７】
図１０は、本発明に係る個人向けホームショッピング提供装置において、基本コンテンツを提供するためのユーザインタフェースを例示的に示す図面である。図１０は、第３インストラクション１５２−３を行う途中に、基本コンテンツを提供するためのユーザインタフェースを例示的に図示する。
【０１０８】
図１０を参照すれば、ディスプレイ装置３００の画面３１０には、第１個人向けコンテンツ〜第ｍ個人向けコンテンツのいずれか一つ３２０が第３インストラクション１５０−３を通じて表示される。第１個人向けコンテンツ〜第ｍ個人向けコンテンツのいずれか一つ３２０が画面３１０に表示される途中に、基本コンテンツを提供するためのユーザインタフェース３３０が画面３１０の少なくとも一部に表示される。
【０１０９】
ユーザインタフェース３３０は、例えば「現在放送中の基本ホームショッピングコンテンツの視聴を望む場合は、緑色ボタンを押してください。」などの案内文句を表示するユーザインタフェースである。
【０１１０】
以上説明したとおり、本発明によれば、視聴者がホームショッピングチャンネルを選択した時刻、およびホームショッピングチャンネルから離脱する時刻を基に抽出された関心商品分類グループを用いて、特定視聴者に適合したホームショッピングコンテンツを動的に選択して提供することができる。特に本発明によって、定義された返送率を基に産出された関心指数を用いて、関心商品分類グループを抽出することができるため、より個人向けされたホームショッピングコンテンツを視聴者に提供することができる。
【０１１１】
以上本発明の構成を具体的に説明したが、これは単に本発明を例示的に説明したに過ぎず、本発明が属する技術分野において通常の知識を有する者であれば、本発明の本質的な特性から脱しない範囲内で様々な変形が可能である。
【０１１２】
従って、本明細書に開示されている実施例は、本発明を限定するためのものではなく、説明するためのものであり、このような実施例によって本発明の思想および範囲が限定されるものではない。本発明の範囲は、特許請求の範囲によって解釈されるべきであり、それと均等な範囲内にある全ての技術は、本発明の権利範囲に含まれるものとして解釈されるべきである。
【産業上の利用可能性】
【０１１３】
本発明によれば、視聴者がホームショッピングチャンネルを選択した時刻およびホームショッピングチャンネルから離脱する時刻を基に抽出された関心商品分類グループを用いて、特定視聴者に適合したホームショッピングコンテンツを動的に選択して提供することができる。特に、本発明によって、定義された返送率を基に産出された関心指数を用いて、関心商品分類グループを抽出することができるため、より個人向けされたホームショッピングコンテンツを視聴者に提供することができる。
【符号の説明】
【０１１４】
１００  個人向けホームショッピング提供装置
１１０  プロセッサ
１３０  メモリ
１５０  プログラム
２００  放送システム
３００  ディスプレイ装置
３１０  画面
３２０  個人向けコンテンツ
３３０  ユーザインタフェース
【図１】
2021508194.tif 000003
【図２】
2021508194.tif 000004
【図３】
2021508194.tif 000005
【図４】
2021508194.tif 000006
【図５】
2021508194.tif 000007
【図６】
2021508194.tif 000008
【図７】
2021508194.tif 000009
【図８】
2021508194.tif 000010
【図９】
2021508194.tif 000011
【図１０】
2021508194.tif 000012
【国際調査報告】
2021508194.tif 000013
2021508194.tif 000014
2021508194.tif 000015
2021508194.tif 000016